(57)【要約】【課題】落下時に加わる外力をユニット本体側で受けられるようにすることで、梱包を極力簡素化、低コスト化することができる空気調和機を提供することを目的とする。【解決手段】箱形キャビネット２からなるユニット本体３の外側面に、外付け部品９、１０が外方に突出された状態で設けられている空気調和機１であって、ユニット本体３の外表面に、少なくともその１つのコーナー部１４が、外付け部品９、１０の最大突出位置に対して、Ｘ，Ｙ，Ｚの３軸方向に所定寸法だけ突出する梱包保護用補強材１２が設けられている。【選択図】図１
2013122330.tif 000002
【特許請求の範囲】
【請求項１】
箱形のキャビネットからなるユニット本体の外側面に、外付け部品が外方に突出された状態で設けられている空気調和機であって、
前記ユニット本体の外表面に、少なくともその１つのコーナー部が、前記外付け部品の最大突出位置に対して、Ｘ，Ｙ，Ｚの３軸方向に所定寸法だけ突出する梱包保護用補強材が設けられていることを特徴とする空気調和機。
【請求項２】
前記梱包保護用補強材は、Ｌ字断面形状に曲げ形成された板材により構成されていることを特徴とする請求項１に記載の空気調和機。
【請求項３】
前記梱包保護用補強材は、梱包物がその下面に接する１つの角部から落下時の保護用の場合、前記コーナー部を１つ備えた三角形状とされ、上下面に接する２つの角部から落下時の保護用の場合、前記コーナー部を２つ備えた四角形状とされていることを特徴とする請求項１または２に記載の空気調和機。
【請求項４】
前記梱包保護用補強材は、ユニット本体に対して着脱自在に取り付けられており、据え付け時、必要に応じて取り外し可能とされていることを特徴とする請求項１ないし３のいずれかに記載の空気調和機。
【発明の詳細な説明】
【技術分野】
【０００１】
本発明は、箱形キャビネットからなるユニット本体の外側面に、コントロールボックス等の外付け部品が装備されている空気調和機に関するものである。
【背景技術】
【０００２】
天井内部に据え付けられるタイプの空気調和機にあっては、メンテナンスやサービス性の面から、箱形のキャビネットからなるユニット本体の外側面に、コントロールボックスや配管接続部品等の外付け部品を設けているものがある（例えば、特許文献１参照）。
かかる空気調和機は、工場において製造後、段ボール箱によって梱包し、輸送・搬送に供されているが、近年、輸送・搬送のための梱包は、木枠や発泡スチロール等の保護材の使用が廃止され、ますます簡略化される傾向にある。
【０００３】
一方、段ボール・板紙等で作られた容器にて包装された貨物の落下試験方法が、ＪＩＳ規格（Ｚ０２０２）によって規定されており、上記の如く段ボール箱によって梱包される空気調和機についても、包装貨物として、ＪＩＳ規格に規定されている落下試験をクリアできるように梱包する必要があった。
【先行技術文献】
【特許文献】
【０００４】
【特許文献１】特許第３０５２８３０号公報
【発明の概要】
【発明が解決しようとする課題】
【０００５】
段ボール箱による包装貨物は、上下面が特定されるようになっており、いわゆる業務用空気調和機クラスの重さのユニットにおいては、梱包時の下面に接する角部から落下する試験が実施されている。この場合、ユニット本体の外側面に設けられているコントロールボックスや配管接続部品等の外付け部品は、それらの部品が設けられている外側面側の角部から落下された時、衝撃力によって破損するリスクがあることから、梱包面で手当てをしておく必要があった。このため、梱包ランクを上げざるを得ず、梱包に要する工数および費用が増加する等の課題があった。
【０００６】
本発明は、このような事情に鑑みてなされたものであって、落下時に加わる外力をユニット本体側で受けられるようにし、梱包を極力簡素化、低コスト化することができる空気調和機を提供することを目的とする。
【課題を解決するための手段】
【０００７】
上記した課題を解決するために、本発明の空気調和機は、以下の手段を採用する。
すなわち、本発明にかかる空気調和機は、箱形のキャビネットからなるユニット本体の外側面に、外付け部品が外方に突出された状態で設けられている空気調和機であって、前記ユニット本体の外表面に、少なくともその１つのコーナー部が、前記外付け部品の最大突出位置に対して、Ｘ，Ｙ，Ｚの３軸方向に所定寸法だけ突出する梱包保護用補強材が設けられていることを特徴とする。
【０００８】
本発明によれば、ユニット本体の外表面に、少なくともその１つのコーナー部が、外付け部品の最大突出位置に対して、Ｘ，Ｙ，Ｚの３軸方向に所定寸法だけ突出する梱包保護用補強材が設けられているため、段ボール箱により梱包された空気調和機を輸送・搬送中に落下したとしても、落下時に空気調和機に加わる外力をユニット本体の外表面に設けられている梱包保護用補強材で受けることにより、例えばコントロールボックスや配管接続部品等の外付け部品を保護することができる。従って、輸送・搬送中の落下による外付け部品の破損を防止することができるとともに、梱包保護用の発泡材等の使用を省き、段ボール箱のみによる梱包を可能とし、梱包の簡素化、低コスト化を図ることができる。
【０００９】
また、本発明の空気調和機は、上記の空気調和機において、前記梱包保護用補強材は、Ｌ字断面形状に曲げ形成された板材により構成されていることを特徴とする。
【００１０】
本発明によれば、梱包保護用補強材が、Ｌ字断面形状に曲げ形成された板材により構成されているため、梱包保護用補強材を板材により構成したとしても、その板材をＬ字断面形状に曲げ形成していることから、落下時に加わる外力に十分耐え得る剛性および強度を確保することができる。従って、梱包保護用補強材をシンプル化、低コスト化し、梱包の簡素化、低コスト化によるメリットを享受することができる。
【００１１】
さらに、本発明の空気調和機は、上述のいずれかの空気調和機において、前記梱包保護用補強材は、梱包物がその下面に接する１つの角部から落下時の保護用の場合、前記コーナー部を１つ備えた三角形状とされ、上・下面に接する２つの角部から落下時の保護用の場合、前記コーナー部を２つ備えた四角形状とされていることを特徴とする。
【００１２】
本発明によれば、梱包保護用補強材が、梱包物がその下面に接する１つの角部から落下時の保護用の場合、コーナー部を１つ備えた三角形状とされ、上下面に接する２つの角部から落下時の保護用の場合、コーナー部を２つ備えた四角形状とされているため、梱包物の違いによって、１つの角部から落下した時の保護用であれば、Ｘ，Ｙ，Ｚの３軸方向に所定寸法だけ突出しているコーナー部を１つ備えた三角形状の梱包保護用補強材を用いることで十分に保護機能を担うことができ、また、２つの角部から落下した時の保護用であれば、それに合わせてＸ，Ｙ，Ｚの３軸方向に所定寸法だけ突出しているコーナー部を２つ備えた四角形状の梱包保護用補強材を用いることにより、その保護機能を担うことができる。従って、梱包物に応じて適宜梱包保護用補強材の形状を変えるだけで、如何なる梱包物に対しても簡易に適用することができる。
【００１３】
さらに、本発明の空気調和機は、上述のいずれかの空気調和機において、前記梱包保護用補強材は、ユニット本体に対して着脱自在に取り付けられており、据え付け時、必要に応じて取り外し可能とされていることを特徴とする。
【００１４】
本発明によれば、梱包保護用補強材が、ユニット本体に対して着脱自在に取り付けられており、据え付け時、必要に応じて取り外し可能とされているため、梱包された空気調和機が据え付け現場に搬入され、段ボール箱による梱包が解かれることで用済みとなった梱包保護用補強材は、必要に応じてユニット本体から取り外すことができる。従って、据え付け時には、梱包保護用補強材を無くして使用することができ、一方、この梱包保護用補強材は、使用上の障害となるものではないことから、取り付けたまま使っても何ら問題となることはない。
【発明の効果】
【００１５】
本発明によると、段ボール箱により梱包された空気調和機を輸送・搬送中に落下したとしても、落下時に空気調和機に加わる外力をユニット本体の外表面に設けられている梱包保護用補強材で受けることにより、例えばコントロールボックスや配管接続部品等の外付け部品を保護することができるため、輸送・搬送中の落下による外付け部品の破損を防止することができるとともに、梱包保護用の発泡材等の使用を省き、段ボール箱のみによる梱包を可能とし、梱包の簡素化、低コスト化を図ることができる。
【図面の簡単な説明】
【００１６】
【図１】本発明の第１実施形態に係る空気調和機を外付け部品側から見た天地を逆にした状態の斜視図である。
【図２】図１に示す空気調和機を段ボール箱で梱包した状態の概略斜視図である。
【図３】図１に示す空気調和機を据え付けた状態の斜視図である。
【発明を実施するための形態】
【００１７】
以下に、本発明にかかる実施形態について、図面を参照して説明する。
［第１実施形態］
以下、本発明の第１実施形態について、図１ないし図３を用いて説明する。
図１には、本発明の第１実施形態に係る空気調和機を外付け部品側から見た天地を逆にした状態の斜視図が示され、図２には、その空気調和機を段ボール箱で梱包した状態の概略斜視図、図３には、該空気調和機を据え付けた状態の斜視図が示されている。
空気調和機１は、天井内部に吊下げ設置されるタイプの空気調和機であり、箱形のキャビネット２によりユニット本体３が構成されている。
【００１８】
箱形のキャビネット２の下面４（図１では上面となっているが、据え付け時には下面となる。）には、空気吸込み口５が開口されており、その開口５に吸込みグリル６が装着されている。ユニット本体３の内部には、送風機７の他、図示省略されている熱交換器、ドレンパン、ドレンポンプ等の機器が内蔵され、送風機７を介して室内側から吸込んだ空気を室内熱交換器で冷媒と熱交換させて冷却または加熱し、その空気を室内に吹出すことによって冷房または暖房に供することができる構成とされている。
【００１９】
上記室内熱交換器は、図示省略されている室外機側に設けられている圧縮機、四方切換弁および室外熱交換器等と共に公知の如く冷凍サイクルを構成しており、室外機側で調整された冷媒が循環されるようになっており、この冷媒と室内熱交換器を通して循環される室内側空気とを熱交換させ、室内側空気を冷却または加熱するものである。
【００２０】
ユニット本体３の左右両側面には、ユニット本体３を天井に吊下げ設置するための吊り金具８が４コーナー部に固定設置され、吊りボルト等を介してユニット本体３が天井から吊下げ設置可能とされている。また、ユニット本体３の一側面には、空気調和機１の運転を制御する制御基板や電装部品類等が内蔵されたコントロールボックス９、あるいは冷媒配管やドレンパイプを接続するための配管接続部品１０等の外付け部品が外方に突出された状態で配設されている。
【００２１】
上記の空気調和機１は、工場において製造された後、図２に示されるように、下面４を上にした状態で段ボール箱１１内に収納され、包装される。そして、包装貨物として工場から出荷され、輸送・搬送に供されることになる。このため、前述したＪＩＳ規格（Ｚ０２０２）による落下試験をクリアする必要がある。
【００２２】
そこで、本実施形態においては、輸送・搬送中において、段ボール箱１１で梱包された空気調和機１が、コントロールボックス９や配管接続部品１０等の外付け部品が設けられている外側面側の角部から落下したとしても、コントロールボックス９や配管接続部品１０等が破損することがないように、ユニット本体３の外表面に、落下時に空気調和機１に加わる外力を受けるための梱包保護用補強材１２を設けている。
【００２３】
この梱包保護用補強材１２は、図１に示されるように、断面がＬ字形状に折り曲げ形成された所定厚さの板材によって構成されており、ユニット本体３の一外側面のコーナー部位に、複数の着脱用ねじ１３により着脱自在に取付けられ、図３に示されるように、梱包保護用補強材１２を取り外して据え付けられる構成とされている。また、この梱包保護用補強材１２は、ユニット本体３の外周面に設けられているコントロールボックス９や配管接続部品１０等の外付け部品と略平行に外方に突出されるように設けられている。
【００２４】
ここでの梱包保護用補強材１２は、図２に示されるように、段ボール箱１１による梱包物が、梱包時の下面に接する１つの角部から落下した時の保護用のものであり、外方に突出されている少なくとも１つのコーナー部１４を備えた側面視が三角形状の補強材とされている。そして、その１つのコーナー部１４は、コントロールボックス９や配管接続部品１０等の外付け部品の最大突出位置（本実施形態の場合、コントロールボックス９の外方への突出先端角部９Ａ）に対して、Ｘ，Ｙ，Ｚの３軸方向にそれぞれ所定寸法だけ突出された構成とされている。
【００２５】
以上に説明の構成により、本実施形態によれば、以下の作用効果を奏する。
箱形のキャビネット２からなるユニット本体３の外周面に、コントロールボックス９や配管接続部品１０等の外付け部品が設けられている空気調和機１は、工場において製造された後、図２に示されるように、段ボール箱１１で梱包されて出荷され、輸送・搬送に供される。この輸送・搬送中に、コントロールボックス９や配管接続部品１０等の外付け部品が設けられている外側面側の角部から落下したとしても、落下時に空気調和機１に加わる外力をユニット本体３の外表面に設けられている梱包保護用補強材１２によって受けることができる。
【００２６】
つまり、ユニット本体３に設けられている梱包保護用補強材１２は、その外方に突出されているコーナー部１４が、外付け部品の最大突出位置であるコントロールボックス９の外方への突出先端角部９Ａよりも、Ｘ，Ｙ，Ｚの３軸方向にそれぞれ所定寸法だけ外方に突出されるように設けられているため、上記の如く梱包物が落下したときの外力を梱包保護用補強材１２で受けることができることから、コントロールボックス９の突出先端角部９Ａに落下時の衝撃力が加わることはなく、コントロールボックス９や配管接続部品１０等の外付け部品を保護することができる。
【００２７】
これによって、輸送・搬送中の落下によるコントロールボックス９や配管接続部品１０等の外付け部品の破損を確実に防止することができるとともに、梱包保護用の発泡材等の使用を省き、段ボール箱１１のみによる梱包を可能とし、梱包の簡素化、低コスト化を図ることができる。
【００２８】
また、梱包保護用補強材１２は、Ｌ字断面形状に曲げ形成された板材により構成されている。このため、梱包保護用補強材１２を板材により構成したとしても、その板材をＬ字断面形状に曲げ形成していることから、落下時に加わる外力に十分耐え得るだけの剛性および強度を確保することができる。従って、梱包保護用補強材１２をシンプル化、低コスト化し、梱包の簡素化、低コスト化によるメリットを享受することができる。
【００２９】
さらに、本実施形態においては、梱包保護用補強材１２が、梱包時の下面に接する１つの角部から落下した時の保護用として、１つのコーナー部１４を備えた三角形状と補強材とされている。このように、梱包物に対応して、１つの角部から落下した時の保護用であれば、Ｘ，Ｙ，Ｚの３軸方向に所定寸法だけ突出しているコーナー部１４を１つ備えた三角形状の梱包保護用補強材１２を用いることで十分に保護機能を担うことができ、梱包物に応じた形状の梱包保護用補強材１２とすることにより、如何なる梱包物に対しても容易に適用することができる。
【００３０】
さらに、梱包保護用補強材１２は、ユニット本体３に対して複数の着脱用ねじ１３等を介して着脱自在に取り付けられており、据え付け時、必要に応じて取り外し可能とされている。このため、梱包された空気調和機１が据え付け現場に搬入され、段ボール箱１１による梱包が解かれることにより用済みとなった梱包保護用補強材１２は、必要に応じてユニット本体３から取り外すことができる。従って、据え付け時においては、図３に示されるように、梱包保護用補強材１２を無くして使用することができ、一方、この梱包保護用補強材１２は、使用上の障害となるものではないことから、取り付けたまま使っても何ら問題となることはない。
【００３１】
［第２実施形態］
次に、本発明の第２実施形態について説明する。
本実施形態は、上記した第１実施形態に対して、梱包保護用補強材１２の形状を一部変更している点が異なる。その他の点については、第１実施形態と同様であるので説明は省略する。
本実施形態の梱包保護用補強材１２は、梱包物が梱包時の上・下両面に接する２つの角部から落下した時の保護用とされるものであり、この場合、図１に示されるような側面視が三角形状の補強材ではなく、外方に突出されているコーナー部１４が上・下２箇所に設けられた側面視が四角形状の補強材とされる。
【００３２】
このように、梱包保護用補強材１２を、梱包物がその上・下面に接する２つの角部から落下した時の保護用とする場合、それに合わせてＸ，Ｙ，Ｚの３軸方向に所定寸法だけ突出しているコーナー部１４を上・下２箇所に備えた四角形状の梱包保護用補強材１２とすることにより、その保護機能を担うことができる。従って、梱包物に応じて適宜梱包保護用補強材１２の形状を変更するだけで、如何なる梱包物に対しても簡易に適用することができる。
【００３３】
なお、本発明は、上記実施形態にかかる発明に限定されるものではなく、その要旨を逸脱しない範囲において、適宜変形が可能である。例えば、上記実施形態では、空気調和機１として、天井内部に吊下げ設置するタイプの空気調和機について説明したが、これに限定されるものではなく、箱形のキャビネット２を有し、その外表面に外付け部品が外方に突出するように設けられているタイプの空気調和機に対して広く適用できることはもちろんである。また、外付け部品は、コントロールボックス９や配管接続部品１０等に限定されるものでないことは云うまでもない。
【符号の説明】
【００３４】
１  空気調和機
２  箱形キャビネット
３  ユニット本体
９  コントロールボックス（外付け部品）
１０  配管接続部品（外付け部品）
１１  段ボール箱
１２  梱包保護用補強材
１３  着脱用ねじ
１４  コーナー部
【図１】
2013122330.tif 000003
【図２】
2013122330.tif 000004
【図３】
2013122330.tif 000005